【手続補正書】
【提出日】平成29年3月21日(2017.3.21)
【手続補正１】
【補正対象書類名】特許請求の範囲
【補正対象項目名】全文
【補正方法】変更
【補正の内容】
【特許請求の範囲】
【請求項１】
基地局であって、
セル内のアクセスしているユーザ装置（ＵＥ）の数が事前設定された数しきい値を超えているかどうかを検出するように構成される第１の検出ユニットと、
前記アクセスしているＵＥの数が前記事前設定された数しきい値を超えている場合に、無線リンク制御（ＲＬＣ）タイマの長さを事前設定された増分だけ増やすように構成される第１の調整ユニットとを備える、基地局。
【請求項２】
当該基地局が、
前記アクセスしているＵＥの数が前記事前設定された数しきい値を超えていない場合に、前記ＲＬＣタイマの前記長さが初期長さであるかどうかを検出するように構成される第２の検出ユニットと、
前記ＲＬＣタイマの前記長さが前記初期長さではない場合に、前記ＲＬＣタイマの前記長さを前記ＲＬＣタイマの前記初期長さに設定するように構成される第２の調整ユニットとを更に備える、請求項１に記載の基地局。
【請求項３】
前記ＲＬＣタイマが、当該基地局側のポーリング再送タイマであるか、及び／又は前記ＲＬＣタイマが、当該基地局側の状態報告禁止タイマであるか、及び／又は前記ＲＬＣタイマが、ＵＥ側のポーリング再送タイマであるか、及び／又は前記ＲＬＣタイマが、前記ＵＥ側の状態報告禁止タイマである、請求項１又は請求項２に記載の基地局。
【請求項４】
前記ＲＬＣタイマが、当該基地局側の前記ポーリング再送タイマであるか、及び／又は前記ＲＬＣタイマが、当該基地局側の前記状態報告禁止タイマである場合に、当該基地局が、
当該基地局側の前記ポーリング再送タイマがタイムアウト状態にあるかどうかを検出するか、及び／又は当該基地局側の前記状態報告禁止タイマの長さがアップリンクスケジューリング時間間隔よりも短いかどうかを検出するように構成される第３の検出ユニットを更に備え、もし当該基地局側の前記ポーリング再送タイマが前記タイムアウト状態にあるか、及び／又は当該基地局側の前記状態報告禁止タイマの前記長さが前記アップリンクスケジューリング時間間隔よりも短いならば、前記第１の検出ユニットが、前記アクセスしているＵＥの数が前記事前設定された数しきい値を超えているかどうかを検出する、請求項３に記載の基地局。
【請求項５】
前記第１の調整ユニットが、
前記アクセスしているＵＥの数が前記事前設定された数しきい値を超えている場合に、当該基地局側の前記ポーリング再送タイマの長さが最大調整しきい値に達しているかどうかを検出するか、及び／又は当該基地局側の前記状態報告禁止タイマの前記長さが前記最大調整しきい値に達しているかどうかを検出するように構成される検出サブユニットと、
当該基地局側の前記ポーリング再送タイマの前記長さが前記最大調整しきい値に達していないか、及び／又は当該基地局側の前記状態報告禁止タイマの前記長さが前記最大調整しきい値に達していない場合に、当該基地局側の前記ポーリング再送タイマの前記長さを第１の事前設定された増分だけ増やすか、及び／又は当該基地局側の前記状態報告禁止タイマの前記長さを第２の事前設定された増分だけ増やすように構成される調整サブユニットとを備える、請求項４に記載の基地局。
【請求項６】
当該基地局側の前記ポーリング再送タイマの前記長さが前記第１の事前設定された増分だけ増やされた後に獲得された長さが前記最大調整しきい値を超えないとともに、当該基地局側の前記状態報告禁止タイマの前記長さが前記第２の事前設定された増分だけ増やされた後に獲得された長さが前記最大調整しきい値を超えない、請求項５に記載の基地局。
【請求項７】
当該基地局が、
前記アクセスしているＵＥの数が前記事前設定された数しきい値を超えていない場合に、当該基地局側の前記ポーリング再送タイマの長さが初期長さであるかどうかを検出するか、及び／又は当該基地局側の前記状態報告禁止タイマの前記長さが初期長さであるかどうかを検出するように構成される第４の検出ユニットと、
当該基地局側の前記ポーリング再送タイマの前記長さが前記初期長さではないか、及び／又は当該基地局側の前記状態報告禁止タイマの前記長さが前記初期長さではない場合に、当該基地局側の前記ポーリング再送タイマの前記長さを前記ポーリング再送タイマの前記初期長さに設定するか、及び／又は当該基地局側の前記状態報告禁止タイマの前記長さを前記状態報告禁止タイマの前記初期長さに設定するように構成される第３の調整ユニットとを更に備える、請求項４に記載の基地局。
【請求項８】
タイマの長さを調整するための方法であって、
セル内のアクセスしているユーザ装置（ＵＥ）の数が事前設定された数しきい値を超えているかどうかを検出するステップと、
前記アクセスしているＵＥの数が前記事前設定された数しきい値を超えている場合に、無線リンク制御（ＲＬＣ）タイマの長さを事前設定された増分だけ増やすステップとを含む、方法。
【請求項９】
当該方法が、
前記アクセスしているＵＥの数が前記事前設定された数しきい値を超えていない場合に、前記ＲＬＣタイマの前記長さが初期長さであるかどうかを検出するステップと、
前記ＲＬＣタイマの前記長さが前記初期長さではない場合に、前記ＲＬＣタイマの前記長さを前記ＲＬＣタイマの前記初期長さに設定するステップとを更に含む、請求項８に記載の方法。
【請求項１０】
前記ＲＬＣタイマが、基地局側のポーリング再送タイマであるか、及び／又は前記ＲＬＣタイマが、前記基地局側の状態報告禁止タイマであるか、及び／又は前記ＲＬＣタイマが、ＵＥ側のポーリング再送タイマであるか、及び／又は前記ＲＬＣタイマが、前記ＵＥ側の状態報告禁止タイマである、請求項８又は請求項９に記載の方法。
【請求項１１】
前記ＲＬＣタイマが、前記基地局側の前記ポーリング再送タイマであるか、及び／又は前記ＲＬＣタイマが、前記基地局側の前記状態報告禁止タイマである場合に、当該方法が、
前記基地局側の前記ポーリング再送タイマがタイムアウト状態にあるかどうかを検出するか、及び／又は前記基地局側の前記状態報告禁止タイマの長さがアップリンクスケジューリング時間間隔よりも短いかどうかを検出するステップと、
もし前記基地局側の前記ポーリング再送タイマが前記タイムアウト状態にあるか、及び／又は前記基地局側の前記状態報告禁止タイマの前記長さが前記アップリンクスケジューリング時間間隔よりも短いならば、前記アクセスしているＵＥの数が前記事前設定された数しきい値を超えているかどうかを検出するステップとを更に含む、請求項１０に記載の方法。
【請求項１２】
前記アクセスしているＵＥの数が前記事前設定された数しきい値を超えている場合に、無線リンク制御（ＲＬＣ）タイマの長さを事前設定された増分だけ増やす前記ステップが、
前記アクセスしているＵＥの数が前記事前設定された数しきい値を超えている場合に、前記基地局側の前記ポーリング再送タイマの長さが最大調整しきい値に達しているかどうかを検出するか、及び／又は前記基地局側の前記状態報告禁止タイマの前記長さが前記最大調整しきい値に達しているかどうかを検出するステップと、
もし前記基地局側の前記ポーリング再送タイマの前記長さが前記最大調整しきい値に達していないか、及び／又は前記基地局側の前記状態報告禁止タイマの前記長さが前記最大調整しきい値に達していないならば、前記基地局側の前記ポーリング再送タイマの前記長さを第１の事前設定された増分だけ増やすか、及び／又は前記基地局側の前記状態報告禁止タイマの前記長さを第２の事前設定された増分だけ増やすステップとを含む、請求項１１に記載の方法。
【請求項１３】
前記基地局側の前記ポーリング再送タイマの前記長さが前記第１の事前設定された増分だけ増やされた後に獲得された長さが前記最大調整しきい値を超えないとともに、前記基地局側の前記状態報告禁止タイマの前記長さが前記第２の事前設定された増分だけ増やされた後に獲得された長さが前記最大調整しきい値を超えない、請求項１２に記載の方法。
【請求項１４】
当該方法が、
前記アクセスしているＵＥの数が前記事前設定された数しきい値を超えていない場合に、前記基地局側の前記ポーリング再送タイマの長さが初期長さであるかどうかを検出するか、及び／又は前記基地局側の前記状態報告禁止タイマの前記長さが初期長さであるかどうかを検出するステップと、
もし前記基地局側の前記ポーリング再送タイマの前記長さが前記初期長さではないか、及び／又は前記基地局側の前記状態報告禁止タイマの前記長さが前記初期長さではないならば、前記基地局側の前記ポーリング再送タイマの前記長さを前記ポーリング再送タイマの前記初期長さに設定するか、及び／又は前記基地局側の前記状態報告禁止タイマの前記長さを前記状態報告禁止タイマの前記初期長さに設定するステップとを更に含む、請求項１１に記載の方法。
【請求項１５】
コンピュータに請求項８から請求項１４のいずれかに記載の方法を実行させる、プログラム。
【手続補正２】
【補正対象書類名】明細書
【補正対象項目名】００１３
【補正方法】変更
【補正の内容】
【００１３】
第１の態様、又は第１の態様の第１の実施方法に関連して、第１の態様の第２の実施方法において、前記ＲＬＣタイマは、当該基地局側のポーリング再送タイマであるか、及び／又は前記ＲＬＣタイマは、当該基地局側の状態報告禁止タイマであるか、及び／又は前記ＲＬＣタイマは、ＵＥ側のポーリング再送タイマであるか、及び／又は前記ＲＬＣタイマは、前記ＵＥ側の状態報告禁止タイマである。
【手続補正３】
【補正対象書類名】明細書
【補正対象項目名】００１９
【補正方法】変更
【補正の内容】
【００１９】
第２の態様に関連して、第２の態様の第１の実施方法において、前記プロセッサにより実行される動作は、前記アクセスしているＵＥの数が前記事前設定された数しきい値を超えていない場合に、前記ＲＬＣタイマの前記長さが初期長さであるかどうかを検出する動作と、前記ＲＬＣタイマの前記長さが前記初期長さではない場合に、前記ＲＬＣタイマの前記長さを前記ＲＬＣタイマの前記初期長さに設定する動作とを更に含む。
【手続補正４】
【補正対象書類名】明細書
【補正対象項目名】００２０
【補正方法】変更
【補正の内容】
【００２０】
第２の態様、又は第２の態様の第１の実施方法に関連して、第２の態様の第２の実施方法において、前記ＲＬＣタイマは、当該基地局側のポーリング再送タイマであるか、及び／又は前記ＲＬＣタイマは、当該基地局側の状態報告禁止タイマであるか、及び／又は前記ＲＬＣタイマは、ＵＥ側のポーリング再送タイマであるか、及び／又は前記ＲＬＣタイマは、前記ＵＥ側の状態報告禁止タイマである。
【手続補正５】
【補正対象書類名】明細書
【補正対象項目名】００２２
【補正方法】変更
【補正の内容】
【００２２】
第２の態様の第３の実施方法に関連して、第２の態様の第４の実施方法において、前記アクセスしているＵＥの数が前記事前設定された数しきい値を超えている場合に、当該基地局により、ＲＬＣタイマの長さを事前設定された増分だけ増やす前記動作は、前記アクセスしているＵＥの数が前記事前設定された数しきい値を超えている場合に、当該基地局により、当該基地局側の前記ポーリング再送タイマの長さが最大調整しきい値に達しているかどうかを検出するか、及び／又は当該基地局側の前記状態報告禁止タイマの前記長さが前記最大調整しきい値に達しているかどうかを検出する動作と、もし当該基地局側の前記ポーリング再送タイマの前記長さが前記最大調整しきい値に達していないか、及び／又は当該基地局側の前記状態報告禁止タイマの前記長さが前記最大調整しきい値に達していないならば、当該基地局側の前記ポーリング再送タイマの前記長さを第１の事前設定された増分だけ増やすか、及び／又は当該基地局側の前記状態報告禁止タイマの前記長さを第２の事前設定された増分だけ増やす動作とを含む。
【手続補正６】
【補正対象書類名】明細書
【補正対象項目名】００２９
【補正方法】変更
【補正の内容】
【００２９】
第３の態様の第３の実施方法に関連して、第３の態様の第４の実施方法において、前記アクセスしているＵＥの数が前記事前設定された数しきい値を超えている場合に、無線リンク制御ＲＬＣタイマの長さを事前設定された増分だけ増やす前記ステップは、前記アクセスしているＵＥの数が前記事前設定された数しきい値を超えている場合に、前記基地局側の前記ポーリング再送タイマの長さが最大調整しきい値に達しているかどうかを検出するか、及び／又は前記基地局側の前記状態報告禁止タイマの前記長さが前記最大調整しきい値に達しているかどうかを検出するステップと、もし前記基地局側の前記ポーリング再送タイマの前記長さが前記最大調整しきい値に達していないか、及び／又は前記基地局側の前記状態報告禁止タイマの前記長さが前記最大調整しきい値に達していないならば、前記基地局側の前記ポーリング再送タイマの前記長さを第１の事前設定された増分だけ増やすか、及び／又は前記基地局側の前記状態報告禁止タイマの前記長さを第２の事前設定された増分だけ増やすステップとを含む。